(57)【要約】【課題】洗浄ノズルより食器に向けて洗浄水を噴射して食器を洗浄する食器洗い機において、洗浄ノズルから噴射される洗浄水が食器の配置により遮断されないようにして食器かごに収容する食器の配置の制約をなくし、食器をより多く収容して洗浄できるようにする。【解決手段】洗浄ノズル２を配した洗浄槽８内に食器３を収容する食器かご４を配置し、洗浄ノズル２から吐出する洗浄水を洗浄槽８の側壁に形成した湾曲部９または反射板１０を介して反射させ、食器３を洗浄するよう構成する。【選択図】  図１
2004215900.tif 000002
【特許請求の範囲】
【請求項１】
洗浄ノズルを配した洗浄槽と、前記洗浄槽内に配置し食器を収容する食器かごとを備え、前記洗浄ノズルから吐出する洗浄水を前記洗浄槽の側壁または反射板を介して反射させ前記食器を洗浄するよう構成した食器洗い機。
【請求項２】
食器かごは、上下２段構成とし、洗浄ノズルから噴射する洗浄水を洗浄槽の側壁または反射板を介して反射させ上段かごに収容した食器を洗浄するよう構成した請求項１記載の食器洗い機。
【請求項３】
反射板は、食器かごの下段かごに取り付けた請求項２記載の食器洗い機。
【発明の詳細な説明】
【０００１】
【発明の属する技術分野】
本発明は、洗浄ノズルより食器に向けて洗浄水を噴射して食器を洗浄する食器洗い機に関する。
【０００２】
【従来の技術】
従来、この種の食器洗い機は図４に示すように構成していた。以下、その構成について説明する。
【０００３】
図４に示すように、洗浄槽１は、内部に洗浄水を噴射する洗浄ノズル２を回転自在に設けるとともに、食器３を収容する食器かご４を配置している。洗浄槽１内の洗浄水はヒータ５によって温水化され、洗浄ポンプ６にて排水口７から吸い込まれ、洗浄ノズル２に圧送される。洗浄ノズル２より勢いよく噴射される洗浄水によって、食器かご４に収容された食器３を洗浄するように構成している（例えば、特許文献１参照）。
【０００４】
【特許文献１】
特開２００１−０４６３０７号公報
【０００５】
【発明が解決しようとする課題】
このような従来の食器洗い機においては、食器かご４に収容する食器３の配置により洗浄ノズル２から噴射される洗浄水が遮断され、食器３の一部が洗浄できないという問題があった。
【０００６】
このため、食器３を食器かご４にセットする場合、食器３の配置に制約ができ、十分な食器容量が確保できないという問題を有していた。
【０００７】
本発明は上記従来の課題を解決するもので、洗浄ノズルから噴射される洗浄水が食器の配置により遮断されないようにして食器かごに収容する食器の配置の制約をなくし、食器をより多く収容して洗浄できるようにすることを目的としている。
【０００８】
【課題を解決するための手段】
本発明は上記目的を達成するために、洗浄ノズルを配した洗浄槽内に食器を収容する食器かごを配置し、洗浄ノズルから吐出する洗浄水を洗浄槽の側壁または反射板を介して反射させ食器を洗浄するよう構成したものである。
【０００９】
これにより、洗浄ノズルから噴射される洗浄水が食器の配置により遮断されないようにできて食器かごに収容する食器の配置の制約をなくすことができ、食器をより多く収容して洗浄することができる。
【００１０】
【発明の実施の形態】
本発明の請求項１に記載の発明は、洗浄ノズルを配した洗浄槽と、前記洗浄槽内に配置し食器を収容する食器かごとを備え、前記洗浄ノズルから吐出する洗浄水を前記洗浄槽の側壁または反射板を介して反射させ前記食器を洗浄するよう構成したものであり、洗浄ノズルから噴射される洗浄水を洗浄槽の側壁または反射板を介して反射させることで、洗浄水が食器の配置などにより遮断されないようにでき、食器かごに収容する食器の配置の制約をなくすことができ、洗浄槽内の空間を有効に使うことができ、食器をより多く収容して洗浄することができる。
【００１１】
請求項２に記載の発明は、上記請求項１に記載の発明において、食器かごは、上下２段構成とし、洗浄ノズルから噴射する洗浄水を洗浄槽の側壁または反射板を介して反射させ上段かごに収容した食器を洗浄するよう構成したものであり、洗浄ノズルから噴射される洗浄水を洗浄槽の側壁または反射板を介して反射させることで、上段かごに収容した食器を洗浄する洗浄水が下段かごに収容した食器の配置により遮断されないようにでき、下段かごに収容する食器の配置の制約をなくすことができ、食器をより多く収容して洗浄することができる。
【００１２】
請求項３に記載の発明は、上記請求項２に記載の発明において、反射板は、食器かごの下段かごに取り付けたものであり、上段かごと下段かごの食器の配置に合わせて下段かごに反射板を取り付けることで、洗浄ノズルから噴射される洗浄水を反射させて上段かごに配置した食器を洗浄することができて、洗浄槽内の空間を有効に使うことができ、より多くの食器を収容し、洗浄することができる。
【００１３】
【実施例】
以下、本発明の実施例について、図面を参照しながら説明する。なお、従来例と同じ構成のものは同一符号を付して説明を省略する。
【００１４】
（実施例１）
図１に示すように、洗浄槽８は、内部の側壁の略中断に湾曲部９を形成し、また、曲面状または平板状の反射板１０を設けて、これら湾曲部９と反射板１０により洗浄ノズル２から吐出する洗浄水を反射させて矢印方向に方向を変え、洗浄ノズル２から噴射する洗浄水が直接当たらない食器かご４の一部の食器３を洗浄するよう構成している。
【００１５】
上記構成において作用を説明する。従来洗浄ノズル２から噴射された洗浄水が食器に直接当たらない食器かご４の一部の場所に配置された食器３においても、湾曲部９と反射板１０により洗浄ノズル２から吐出する洗浄水を反射させて矢印方向に方向を変えることで、洗浄ノズル２から噴射する洗浄水が直接当たらない食器かご４の一部の食器３を洗浄することができ、このため、洗浄槽８内の空間を有効に使うことができ、より多くの食器３を収容して洗浄することができる。
【００１６】
このように本実施例によれば、洗浄ノズル２から吐出する洗浄水を洗浄槽８の側壁に形成した湾曲部９と反射板１０を介して反射させ食器３を洗浄するよう構成したので、洗浄ノズル２から噴射される洗浄水を洗浄槽８の側壁に形成した湾曲部９と反射板１０を介して反射させることで、洗浄水が食器３の配置により遮断されないようにでき、食器かご４に収容する食器３の配置の制約をなくすことができ、洗浄槽８内の空間を有効に使うことができ、食器３をより多く収容して洗浄することができる。
【００１７】
なお、本実施例では、洗浄槽８の側壁に湾曲部９を形成し、反射板１０を設けているが、いずれか一方だけを設けてもよく、また、いずれかを複数設けてもよく、同様の作用効果を得ることができる。
【００１８】
（実施例２）
図２に示すように、食器かご１１は、上段かご１１ａと下段かご１１ｂの上下２段構成とし、洗浄槽１２内に配置している。洗浄槽１２は、内部の側壁の略中断に湾曲部１３を形成し、また、曲面状または平板状の反射板１４を着脱自在に設けて、これら湾曲部１３と反射板１４により洗浄ノズル２から吐出する洗浄水を反射させて矢印方向に方向を変え、洗浄ノズル２から噴射する洗浄水が直接当たらない上段かご１１ａに収容した食器３を洗浄するよう構成している。
【００１９】
上記構成において作用を説明する。従来洗浄ノズル２から噴射された洗浄水が下段かご１１ｂに配置された食器３により遮断され、洗浄ノズル２から噴射された洗浄水が直接当たらない上段かご１１ａに配置された食器３においても、湾曲部１３と反射板１４により洗浄ノズル２から吐出する洗浄水を反射させて矢印方向に方向を変えることで、上段かご１１ａに配置された食器３を洗浄することができ、このため、洗浄槽１２内の空間を有効に使うことができ、より多くの食器３を収容して洗浄することができる。
【００２０】
このように本実施例によれば、食器かご１１は、上下２段構成とし、洗浄ノズル２から噴射する洗浄水を洗浄槽１２に形成した湾曲部１３と反射板１４を介して反射させ、上段かご１１ａに収容した食器３を洗浄するよう構成したので、洗浄ノズル２から噴射される洗浄水を洗浄槽１２に形成した湾曲部１３と反射板１４を介して反射させることで、上段かご１１ａに収容した食器３を洗浄する洗浄水が下段かご１１ｂに収容した食器３の配置により遮断されないようにでき、下段かご１１ｂに収容する食器の配置の制約をなくすことができ、食器３をより多く収容して洗浄することができる。
【００２１】
なお、本実施例では、洗浄槽１２の側壁に湾曲部１３を形成し、反射板１４を設けているが、いずれか一方だけを設けてもよく、また、いずれかを複数設けてもよく、同様の作用効果を得ることができる。
【００２２】
また、本実施例では、反射板１４は着脱自在に設けているが、洗浄槽１２と一体に構成してもよい。
【００２３】
（実施例３）
図３に示すように、反射板１５は、湾曲した平板状であり、食器かご１１の上段かご１１ａの洗浄水の直接当たらない一部の食器３の下方にて、食器かご１１の下段かご１１ｂにはめ込み取り付け、反射板１５により洗浄ノズル２から吐出する洗浄水を反射させて矢印方向に方向を変え、洗浄ノズル２から噴射する洗浄水が直接当たらない上段かご１１ａに収容した食器３を洗浄するよう構成している。
【００２４】
上記構成において作用を説明する。食器かご１１の下段かご１１ｂに食器３を配置することにより、上段かご１１ａの食器３に洗浄ノズル２から噴射される洗浄水が食器３に直接当たらない場所に配置した場合、下段かご１１ｂに反射板１５を取り付け、洗浄ノズル２から噴射される洗浄水を反射させ洗浄することができる。これにより、洗浄槽１内の空間を有効に使うことができ、より多くの食器３を収容することができる。
【００２５】
このように本実施例によれば、反射板１５は、食器かご１１の下段かご１１ｂに取り付けたので、上段かご１１ａと下段かご１１ｂの食器３の配置に合わせて下段かご１１ｂに反射板１５を取り付けることで、洗浄ノズル２から噴射される洗浄水を反射させて上段かご１１ａに配置した食器３を洗浄することができて、洗浄槽１内の空間を有効に使うことができ、より多くの食器３を収容し、洗浄することができる。
【００２６】
【発明の効果】
以上のように、本発明の請求項１に記載の発明によれば、洗浄ノズルから吐出する洗浄水を洗浄槽の側壁または反射板を介して反射させ食器を洗浄するよう構成したから、洗浄ノズルから噴射される洗浄水が食器の配置により遮断されないようにできて、食器かごに収容する食器の配置の制約をなくすことができ、食器をより多く収容して洗浄することができ、食器全体の洗浄性能を確保できる。
【図面の簡単な説明】
【図１】本発明の第１の実施例の食器洗い機の縦断面図
【図２】本発明の第２の実施例の食器洗い機の縦断面図
【図３】本発明の第３の実施例の食器洗い機の縦断面図
【図４】従来の食器洗い機の縦断面図
【符号の説明】
２  洗浄ノズル
３  食器
４  食器かご
８  洗浄槽
９  側壁に形成した湾曲部
１０  反射板
【図１】
2004215900.tif 000003
【図２】
2004215900.tif 000004
【図３】
2004215900.tif 000005
【図４】
2004215900.tif 000006